(57)【要約】      （修正有）【課題】樹脂製ハウジングと金属製カバーの接合部を改善し、スキャナユニット内部に塵が入らない構造を提供するとともに、動作中に金属製カバーにビビリ音が発生しないようにする。【解決手段】ポリゴンミラー４、該ポリゴンミラーを回転させるポリゴンモータユニット３、およびレンズ等を配設する樹脂製のハウジング１と、該ハウジング１の上面を覆う金属製のカバー２とを具備してなるスキャナユニットにおいて、ハウジングには側壁部４０を有し、この側壁部４０に上記金属製カバー２の少なくとも一部を装着するための溝部４４を備えたニ重構造とした。【選択図】  図３
2004354563.tif 000002
【特許請求の範囲】
【請求項１】
ポリゴンミラー、該ポリゴンミラーを回転させるポリゴンモータ、およびレンズ等を配設する樹脂製のハウジングと、該ハウジングの上面を覆う金属製のカバーと、を具備してなるスキャナユニットにおいて、
上記ハウジングは底面部並びに側壁部を有し、該側壁部には上記金属製カバーの少なくとも一部を装着するための溝部を備えた二重構造となっていることを特徴とするスキャナユニット。
【請求項２】
上記金属製カバーとを連結するために、上記ハウジングの溝部がハウジングの側壁全周に亘って設けられていることを特徴とする請求項１記載のスキャナユニット。
【発明の詳細な説明】
【０００１】
【発明の属する技術分野】
本発明は、コピー機、ＦＡＸ、プリンタ等の電子写真装置内に用いられるスキャナユニットに関する。
【０００２】
【従来の技術】
従来より、例えば光ビームとしてレーザ光を用いたレーザビームプリンタのスキャナユニットには、ポリゴンミラー、ポリゴンモータ、レンズ、反射ミラー等を樹脂製のハウジング内部に配設し、ハウジングの上面を金属製のカバーで覆い、ハウジングとカバーとをネジ止めあるいは接着固定しているものがある。
【０００３】
【文献１】
特開２０００−０４０３４７号公報
【０００４】
例えば文献１に記述されたスキャナユニットでは、図１に示したような構成を有しており、具体的には、樹脂製のハウジング２１内にポリゴンミラー２４やモリゴンモータ等を一体化したポリゴンモータユニット２３、レンズ２５ａ，２５ｂ、反射ミラー２６を所定位置に配設した後、金属製のカバー２２でハウジング２１を覆ってスキャナユニットＳを形成させている。
【０００５】
【発明が解決しようとする課題】
前述したような公知例においても、スキャナユニットＳの内部に種々の塵が侵入して光学部品が汚染されるのを防止のために、ハウジング２１と金属製カバー２２とをねじ止めや接着などの手段により可能な限り密閉構造を目指している。
具体的には、スキャナユニットＳの内部への防塵対策は実質上図２に示した金属製カバー２２とハウジング２１との接合部１００に依存し、ハウジング２１の厚み（ｔ０）に依存している。
しかしながら、金属製のカバー２２の多くはアルミなどの比較的成形が容易な金属が使用されているため、概して変形しやすい。そのため、十分な肉厚の金属製カバーを使用する、あるいは十分な量の接着面を形成しない場合には、結果として前述した樹脂ハウジング２１と金属製カバー２２との接合面１００に、隙間が生じ、この隙間から紙粉などの塵が混入する恐れがあった。
【０００６】
また、比較的薄い金属製カバーを使用した場合には、ポリゴンミラーの高速回転に際して振動が発生し、異常音（ビビリ音）などが発生する原因にもなっていた。
【０００７】
一方、こうした対策のため、金属製カバー２２を十分な肉厚を有する部材で構成し、十分な強度を持たせた上で、強固に接着を行う場合には、スキャナユニットＳの内部のメンテナンスができないばかりか、スキャナユニットＳ自体の重量も増化し、またスキャナユニットＳのコストアップにもつながり、特に小型のスキャナユット形成には不向きであった。
【０００８】
【課題を解決する為の手段】
本発明は、上記問題に鑑みてなされたものであり、ポリゴンミラー、該ポリゴンミラーを回転させるポリゴンモータ、およびレンズ等を配設する樹脂製のハウジングと、該ハウジングの上面を覆う金属製のカバーとを具備してなるスキャナユニットにおいて、上記ハウジングは底面部並びに側壁部を有し、該側壁部には上記金属製カバーの少なくとも一部を装着するための溝部を備えた二重構造としたものである。
【０００９】
以上のような構成を採用することで、樹脂ハウジングと金属製カバーとの密閉性は容易に確保でき、しかも異常音の発生も有効に防止できる。
また、樹脂ハウジングの全周に亘ってこうした溝部を形成する場合には、完全な密封構造のスキャナユニットを容易に得ることができ、しかもハウジングと金属カバーとの接触面積が増化することでビビリ音も有効に防止できる。
【００１０】
【発明の実施の形態】
以下、図面を用いて本発明の実施例を説明する。
図３は、本発明のスキャナユニットＡの金属製カバー２を開放した状態を示す図であり、周囲を側壁４０で囲まれた略箱状の樹脂製ハウジング１の内部には、レーザユニット７、コリメータレンズ８、ポリゴンミラー４、レンズ９，１０、反射ミラー１１等のそれ自体公知の光学素子が底面４２もしくは側壁４０を利用して配置されており、レーザユニット７から画像データに応じて出射するレーザ光が上述した光学素子を介して出射窓１２からスキャナユニット外部に出射して感光体に照射され、感光体上に結像させることができるものである。
【００１１】
そして、ポリゴンミラー４、ポリゴンモータ、ポリゴンモータを駆動する回路等はポリゴンモータユニット３として一体的に構成されており、ポリゴンモータユニット３とカバー２とは、連続動作時の放熱性をよくするため熱伝導部材５を介して連結している。熱伝導部材５は、ポリゴンモータユニット３の底面から図面左側のハウジング１側面から立設してカバー２と接触する形状とし、ポリゴンモータユニット３の４隅に設けた孔３ａでポリゴンモータユニット３を熱伝導部材５にねじ止めする。そして、熱伝導部材５の立設部の先端に孔５ａを設け、金属製のカバー２の孔２ａから熱伝導部材５とカバー２とがねじ６によりねじ止めすることによりスキャナユニトＳ内部が密封されるようになる。
【００１２】
このような構成により、ポリゴンモータユニット３での発熱が熱伝導部材５を介してカバー２に伝導してカバー２でスキャナユニットの外気により冷却されるために、スキャナユニットＳ内部の温度上昇を抑えることができるようになる。
【００１３】
金属製のカバー２はプレス成形により形成されたもので、天板３０とこの天板３０の周囲を巡るように高さＬの側壁３２が形成されている。
一方、樹脂ハウジングの側壁は、前述した金属製のカバー２の側壁４０が入り込めるように全周に亘って溝部４４が形成されている。
この溝部は図４に模式的に示したように、金属製のカバー２に形成された側壁３２の肉厚（ｔ）と実質上同じ大きさの幅を有していると共に、カバー２の側壁３２の高さＬよりも大きな深さＬ１を有している。そして金属製のカバー２に形成した高さＬの側壁２２を受け入れることができるようになっている。
【００１４】
このような構造を採用することで、金属製のカバー２と樹脂ハウジング１とは金属製カバー２の側壁３２（高さＬ）の両面が樹脂ハウジング１の溝部４４と接触することとなり、十分な接触量（高さの２倍である２Ｌ）を確保することができる。例えば、Ａ３のデジタル複写機に採用されるようなスキャナユニットの場合、ユニット側壁の高さＬ１が５０ｍｍである場合には、カバー側壁の高さＬを４０ｍｍ程度に設定することで、カバー２と側壁３２との接触幅は側壁３２の両面合計で８０ｍｍとなり、十分な密封性と接合強度を確保することができる。
【００１５】
【発明の効果】
以上説明したように、本発明のスキャナユニットによれば、ハウジングに溝部を形成し、この溝部にカバーの側壁をはめ込むことでユニット外部からの紙粉や塵の侵入を防止できることやポリゴンの高速回転に伴う振動音（ビビリ音）も効果的に防止することができる。
【図面の簡単な説明】
【図１】従来のスキャナユニットを示す図である。
【図２】従来のスキャナユニットにおけるハウジングとカバーの接合部を示した模式図。
【図３】本発明のスキャナユニットを示す図である。
【図４】本発明のスキャナユニットにおけるハウジングとカバーの接合部を示した模式図。
【符号の説明】
１，２１：ハウジング
２，２２：カバー
３，２３：ポリゴンモータユニット
４，２４：ポリゴンミラー
５：熱伝導部材
３２：側壁（カバー）
４０：側壁（ハウジング）
４４：溝部
１００：接合部
【図１】
2004354563.tif 000003
【図２】
2004354563.tif 000004
【図３】
2004354563.tif 000005
【図４】
2004354563.tif 000006